(57)【要約】      （修正有）【課題】多数の錠剤を収納している容器から、誰でもが必要な数の錠剤を容易かつ迅速に取り出すことが可能な容器用蓋体を提供する。【解決手段】外蓋本体１１と外蓋係合部１８とからなり容器４０の開口部４２に着脱自在に係合する容器用蓋体１の外蓋１０において、容器用蓋体が容器に係合した状態で容器の内側に露出する露出面１２上に、粘着剤によって形成された粘着面１３を形成し、粘着面を剥離紙１５によって被覆し、剥離紙を、裁断線１７によって紙片１５Ａ〜１５Ｅに区切る。そして、容器から中に収納されている錠剤５０を取り出す際は、紙片１５Ａ〜１５Ｅを適宜剥がすことにより、取り出さなければならない数の錠剤が占める面積の粘着面を露出面上に露出させる。【選択図】図１
0003190279.tif 000002
【実用新案登録請求の範囲】
【請求項１】
容器の開口部を覆って装着される外蓋を有し、
前記外蓋は、容器の開口部を覆う外蓋本体と、前記外蓋本体の周縁に形成されて容器の開口部の周縁部に着脱自在に係合する外蓋係合部と、を有し、
前記外蓋本体は、前記外蓋係合部が容器の開口部の周縁部に係合した状態で容器の開口部側に露出する露出面を有し、
前記露出面の上に、粘着剤によって形成された粘着面を有していることを特徴とする容器用蓋体。
【請求項２】
前記粘着面は、粘着剤によって形成された複数の粘着層が剥離可能に積層してなることを特徴とする請求項１に記載の容器用蓋体。
【請求項３】
容器の開口部側に面する前記粘着面の表面は、前記粘着面から剥離可能に剥離紙によって被覆されていることを特徴とする請求項１又は請求項２に記載の容器用蓋体。
【請求項４】
前記剥離紙は、ミシン目又は裁断線によって区切られた複数の紙片によって形成されていることを特徴とする請求項３に記載の容器用蓋体。
【請求項５】
前記外蓋本体は、前記粘着面を被覆する第１の可動体を前記露出面の上に有し、当該第１の可動体は、前記露出面の上を動いて前記粘着面を被覆する面積を変更可能に、前記蓋本体に取り付けられていることを特徴とする請求項１又は請求項２に記載の容器用蓋体。
【請求項６】
前記第１の可動体は、前記露出面の上をスライド可能に前記蓋本体に取り付けられていることを特徴とする請求項５に記載の容器用蓋体。
【請求項７】
容器の開口部に装着される内蓋を有し、
前記内蓋は、容器の開口部を覆う内蓋本体と、前記内蓋本体の周縁に形成されて容器の開口部の周縁部に接触して固定される内蓋装着部と、を有し、
前記内蓋本体は、前記内蓋を装着した容器の内側に露出する内側面と、前記内蓋を装着した容器の外側に露出する外側面と、当該内側面から当該外側面まで貫通する穴部と、を有し、
前記内蓋本体は、前記穴部を覆う第２の可動体を前記外側面又は前記内側面の上に有し、当該第２の可動体は、当該第２の可動体が設けられた前記外側面又は前記内側面の上をスライドして前記穴部を覆う面積を変更可能に、前記内蓋本体に取り付けられており、
前記外蓋と前記内蓋とが、容器の開口部に装着される状態において、前記粘着面と、前記外側面と、の間に、空間部が形成されることを特徴とする請求項１又は請求項２に記載の容器用蓋体。
【考案の詳細な説明】
【技術分野】
【０００１】
本考案は、錠剤を収納している容器の開口部に着脱自在に係合する容器用蓋体に関する。
【背景技術】
【０００２】
我々の周辺には、様々な種類の錠剤が存在し、様々な場面において使用されている。錠剤として、例えば、医薬品としての錠剤、健康食品をはじめとする食品としての錠剤、化学品としての錠剤等を挙げることができる。なお、以下の説明の中で述べる錠剤は、その形状が特に限定されず、使用者が個々の錠剤を指で摘むことができる大きさを有しているものとする。例えば、粒径が１ｍｍ以上の粒状物も以下に述べる錠剤の中に含まれるものとする。
【０００３】
錠剤は、１粒ずつ個別にパウチ包装した状態で使用者の手元に渡ることもあるし、多数の錠剤をビン等に容器詰めした状態で使用者の手元に渡ることもある（例えば、非特許文献１、２を参照）。近年、１粒ずつパウチ包装した状態で販売等される錠剤が増えてきているが、ビン等の容器に詰めた状態で販売等される錠剤も依然として極めて多数存在している。
【０００４】
例えば、一般家庭の常備薬として用いられる錠剤にあっては、その服用者の年齢層が広範囲にわたっている。このため、一度に服用すべき錠剤の数は、服用者の年齢等によって大きく異なることが多い。そして、このような常備薬として用いられる錠剤は、ビン詰めにされていることが多い。なぜならば、１粒ずつパウチ包装していたのでは、全体の嵩が増えて保管上必要になる場所が大きくなってしまうし、ビン詰めとするよりもコスト高になりやすいからである。
【先行技術文献】
【特許文献】
【０００５】
【非特許文献１】“救急箱には何を入れるべきかが分かる常備薬チェックリスト”［２０１４年１月２３日検索］インターネット＜ＵＲＬ：ｈｔｔｐ：／／ｍａｔｏｍｅ．ｎａｖｅｒ．ｊｐ／ｏｄａｉ／２１３８０２３５３６７４６６９３９０１＞
【非特許文献２】“意外と知らない？！家庭の常備薬”［２０１４年１月２３日検索］インターネット＜ＵＲＬ：ｈｔｔｐ：／／ｗｗｗ．ｈｍａｊ．ｃｏｍ／ａｌｌａｂｏｕｔ／＞
【考案の概要】
【考案が解決しようとする課題】
【０００６】
例えば、ビン詰めされている医薬品としての錠剤を服用する場合、服用者は、まず、ビンの蓋を開け、大雑把な数の錠剤を掌の上に取り出す。そして、服用者は、掌の上で必要な数の錠剤を選り分け、余った錠剤をビンの中へ戻すことが多い。
この場合、一度、掌の上に取り出した錠剤は、掌から湿気を吸収することが多い。湿気を吸収した錠剤をビンの中に戻すと、ビンの中の他の錠剤が、ビンの中に戻された錠剤から湿気を吸収し、ビンの中の錠剤全体が、湿気による変質等を生じて傷んでしまう。
【０００７】
また、ビンの中に戻された錠剤を、後日、他の人間が服用することになる場合も考えられる。特に、一般家庭の常備薬の場合にこのようなことが生じやすい。病人が一旦掌の上に取った錠剤をビンの中に戻すことは、その病人に付着しているウィルス等が、ビンの中の錠剤全体に広がる原因ともなってしまう。したがって、掌の上に取り出された錠剤をビンの中に戻すことは、衛生上の観点からも好ましいとは言い難い。
【０００８】
さらに、ビンの開口部が小さければ、このビンから少量の錠剤を掌の上に取り出すことは比較的容易である。しかし、ビンの開口部が大きな場合は、少し手元が狂うと、一度に多くの錠剤が掌の上に出てきてしまう。
不必要な錠剤まで掌の上に取り出すことを防ごうとする場合、細心の注意を払う必要がある。細心の注意を払って必要な数の錠剤だけを掌の上に取り出す作業は、非常に煩雑な行為であり、このような作業を嫌がる服用者も多い。
【０００９】
本考案は、上記問題を解決するものであり、その目的とするところは、多数の錠剤を収納している容器から、誰でもが必要な数の錠剤を容易かつ迅速に取り出すことを可能とする容器用蓋体を提供することである。
【課題を解決するための手段】
【００１０】
本考案は、その課題を解決するために以下のような構成をとる。請求項１の考案に係る容器用蓋体は、容器の開口部を覆って装着される外蓋を有し、前記外蓋は、容器の開口部を覆う外蓋本体と、前記外蓋本体の周縁に形成されて容器の開口部の周縁部に着脱自在に係合する外蓋係合部と、を有し、前記外蓋本体は、前記外蓋係合部が容器の開口部の周縁部に係合した状態で容器の開口部側に露出する露出面を有し、前記露出面の上に、粘着剤によって形成された粘着面を有していることを特徴とする。
【００１１】
錠剤を収納している容器に、請求項１の考案に係る容器用蓋体の外蓋が装着されている場合を例にとって、その作用効果を簡単に説明する。
容器の開口部の周縁部に、外蓋係合部が係合している状態においては、外蓋本体の露出面上にある粘着面が、容器の開口部側に露出している。このまま、錠剤の使用者は、容器に対して容器用蓋体が下側に来るように、容器をひっくり返す。容器の中の錠剤は、外蓋本体の粘着面の上にのり、粘着面に粘着する。
【００１２】
次いで、使用者は、容器に対して容器用蓋体が上側に来るように、容器を再びひっくり返し、外蓋を容器から外す。外した外蓋の粘着面の上には、粘着面に粘着した錠剤が存在し、使用者は、粘着した錠剤を指で摘み取るなどして掌の上に容易に取り出すことができる。また、使用者は、外した外蓋の粘着面を下に向けて、外蓋を掌の上に軽く打ち付けても良い。外蓋に加わる衝撃によって、粘着面に粘着した錠剤が掌の上に落下する。
【００１３】
粘着面の面積を錠剤の大きさに合わせて調整することで、容器の外に取り出される錠剤の数を容易に調整することができる。粘着面に粘着した錠剤だけが容器の外に取り出され、不必要な錠剤が容器の外に取り出されることを防止できる。また、容器の中の錠剤が不用意に使用者と接触してしまうことが防止され、容器の中の錠剤が湿気を帯びることも防止される。
【００１４】
なお、露出面上に、粘着面が１面だけ形成されていても良いし、複数面の粘着面が形成されていても良いことは勿論である。
粘着面の粘着力は、粘着面に粘着した錠剤を粘着面からはがす際に、錠剤そのものや錠剤の表面を傷つけない程度の強さであることが好ましい。
【００１５】
粘着面を形成する粘着剤は、容器に収納されている錠剤の種類に応じて、適宜、公知の粘着剤から選定すれば良い。粘着剤は、例えば、ゴム系粘着剤であっても良いし、アクリル系粘着剤であっても良いし、シリコーン系粘着剤であっても良いし、ウレタン系粘着剤であっても良い。
【００１６】
請求項２の考案に係る容器用蓋体は、請求項１に記載の容器用蓋体であって、前記粘着面は、粘着剤によって形成された複数の粘着層が剥離可能に積層してなることを特徴とする。
【００１７】
錠剤を収納している容器に、請求項２の考案に係る容器用蓋体の外蓋が装着されている場合を例にとって、その作用効果を簡単に説明する。
錠剤を収納している容器には、様々な外力が働きやすく、この結果、容器の中の錠剤の一部が破損し、錠剤の破損片や粉が生じる。このような錠剤の破損片や粉が粘着面に付着すると、粘着面の粘着力が低下する。粘着面の粘着力が低下したら、粘着面の表面をなす粘着層を剥がし、新たな粘着面を形成すれば良い。これにより、粘着面の粘着力の低下を防止することができる。
【００１８】
請求項３の考案に係る容器用蓋体は、請求項１又は請求項２に記載の容器用蓋体であって、容器の開口部側に面する前記粘着面の表面は、前記粘着面から剥離可能に剥離紙によって被覆されていることを特徴とする。
【００１９】
錠剤を収納している容器に、請求項３の考案に係る容器用蓋体の外蓋が装着されている場合を例にとって、その作用効果を簡単に説明する。
錠剤を収納している容器が、流通経路上にある間、容器やその中の錠剤に様々な力が働きやすい。この結果、容器の中で錠剤の一部が破損し、錠剤の破損片や粉ができる可能性がある。
【００２０】
粘着面を剥離紙によって被覆しておくことによって、錠剤の破損片や粉が粘着面に粘着することを防止でき、粘着面の粘着力の低下を防止することができる。
錠剤を収納している容器が、錠剤の使用者の手元に届いたら、使用者は、先ず、外蓋を容器から外し、さらに、粘着面から剥離紙を剥がせば良い。
【００２１】
露出面上に複数の粘着面を形成し、各粘着面を剥離紙によって個別に被覆しても良い。使用者は、必要に応じて剥離紙を剥がす粘着面の数を増減することができる。剥離紙を剥がす粘着面の数を増やせば、錠剤が粘着可能な粘着面の面積を増やすことができ、粘着面に粘着する錠剤の数を増やすことができる。剥離紙を剥がす粘着面の数を減らせば、錠剤が粘着可能な粘着面の面積を減らすことができ、粘着面に粘着する錠剤の数を減らすことができる。
【００２２】
請求項４の考案に係る容器用蓋体は、請求項３に記載の容器用蓋体であって、前記剥離紙は、ミシン目又は裁断線によって区切られた複数の紙片によって形成されていることを特徴とする。
【００２３】
錠剤を収納している容器に、請求項４の考案に係る容器用蓋体の外蓋が装着されている場合を例にとって、その作用効果を簡単に説明する。
ミシン目又は裁断線によって区切られた複数の紙片によって、剥離紙を形成すれば、使用者は、粘着面から剥離紙を剥がす際に、剥がす紙片の数を容易に調整できる。剥がす紙片の数を調整することによって、錠剤が粘着可能な粘着面の面積を調整することができ、粘着面に粘着して容器の外に取り出される錠剤の数を調整することができる。
【００２４】
なお、剥離紙を複数の紙片に区切るミシン目又は裁断線は、例えば、１本であっても良いし、複数本であっても良い。また、ミシン目又は裁断線は、例えば、直線であっても良いし、曲線であっても良い。さらに、ミシン目又は裁断線が、例えば、格子状に形成されていても良いし、同心円状に形成されていても良いし、放射線状に形成されていても良いし、平行線によって形成されていても良い。さらに、各紙片の一部に、指で摘むことを可能とする摘み部が形成されていても良い。かかる摘み部を各紙片に形成しておくことにより、使用者は、より容易に粘着面から任意の剥離紙を剥がすことができる。
【００２５】
請求項５の考案に係る容器用蓋体は、請求項１又は請求項２に記載の容器用蓋体であって、前記外蓋本体は、前記粘着面を被覆する第１の可動体を前記露出面の上に有し、当該第１の可動体は、前記露出面の上を動いて前記粘着面を被覆する面積を変更可能に、前記蓋本体に取り付けられていることを特徴とする。
【００２６】
錠剤を収納している容器に、請求項５の考案に係る容器用蓋体の外蓋が装着されている場合を例にとって、その作用効果を簡単に説明する。
使用者は、第１の可動体を動かすことによって、錠剤が粘着可能な粘着面の面積を調整することができ、容器の外に取り出される錠剤の数を調整することができる。
【００２７】
第１の可動体は、露出面の上に軸支されて外蓋本体に取り付けられていても良いし、さらに、第１の可動体の位置を固定可能に固定部が外蓋本体に形成されていても良い。固定部によって第１の可動体の位置を固定すれば、容器に外蓋が装着されているときに容器の開口部側に粘着面を露出させておくことができる。
【００２８】
請求項６の考案に係る容器用蓋体は、請求項５に記載の容器用蓋体であって、前記第１の可動体は、前記露出面の上をスライド可能に前記蓋本体に取り付けられていることを特徴とする。
【００２９】
錠剤を収納している容器に、請求項６の考案に係る容器用蓋体の外蓋が装着されている場合を例にとって、その作用効果を簡単に説明する。
使用者は、第１の可動体をスライドさせることによって、錠剤が粘着可能な粘着面の面積を調整することができ、容器の外に取り出される錠剤の数を調整することができる。
【００３０】
請求項７の考案に係る容器用蓋体は、請求項１又は請求項２に記載の容器用蓋体であって、容器の開口部に装着される内蓋を有し、前記内蓋は、容器の開口部を覆う内蓋本体と、前記内蓋本体の周縁に形成されて容器の開口部の周縁部に接触して固定される内蓋装着部と、を有し、前記内蓋本体は、前記内蓋を装着した容器の内側に露出する内側面と、前記内蓋を装着した容器の外側に露出する外側面と、当該内側面から当該外側面まで貫通する穴部と、を有し、前記内蓋本体は、前記穴部を覆う第２の可動体を前記外側面又は前記内側面の上に有し、当該第２の可動体は、当該第２の可動体が設けられた前記外側面又は前記内側面の上をスライドして前記穴部を覆う面積を変更可能に、前記内蓋本体に取り付けられており、前記外蓋と前記内蓋とが、容器の開口部に装着される状態において、前記粘着面と、前記外側面と、の間に、空間部が形成されることを特徴とする。
【００３１】
錠剤を収納している容器に、請求項７の考案に係る容器用蓋体の外蓋と内蓋が装着されている場合を例にとって、その作用効果を簡単に説明する。
使用者は、第２の可動体を動かすことによって、内蓋の穴部の開口面積を調整することができる。穴部の開口面積を調整することによって、この穴部を通って外蓋の粘着面に粘着して容器の外に取り出される錠剤の数を調整することができる。
【００３２】
また、外蓋と内蓋とが容器の開口部に装着された状態において、外蓋の粘着面と内蓋の外側面との間に空間部が存在する。このため、粘着面に粘着した錠剤は、この空間部の中に収まり、内蓋の外側面に接触することを防止できる。そして、外蓋を容器から外す際に、粘着面に粘着した錠剤が、内蓋の外側面に接触して容器の中に落下してしまうことを防止できる。
また、錠剤を収納している容器が、流通経路上にある間は、第２の可動体によって内蓋の穴部を塞いでおけば良い。これによって、容器の中の錠剤の破損片や粉が粘着面に粘着することを防止でき、粘着面の粘着力の低下を防止することができる。
【００３３】
なお、容器への内蓋の装着は、内蓋装着部が、容器の開口部の周縁部の内側あるいは外側に接触して固定されることによってなされても良いし、内蓋装着部をなす内蓋本体の周縁が、容器の開口部の周縁部にそのまま接着等されて固定されることによってなされても良い。
【００３４】
内蓋装着部が、容器の開口部の周縁部の外側に接触して固定される場合、外蓋係合部は、容器の開口部の周縁部の外側に直接係合しても良いし、あるいは、外蓋係合部が、内蓋装着部の外側に係合しても良い。後者の場合、外蓋外蓋係合部が、容器の開口部の周縁部に間接的に係合することとなる。
【考案の効果】
【００３５】
上記のような容器用蓋体であるので、多数の錠剤を収納している容器から、誰でもが必要な数の錠剤を容易かつ迅速に取り出すことが可能である。
【図面の簡単な説明】
【００３６】
【図１】第１の実施の形態に係る容器用蓋体と容器の斜視図である。
【図２】第２の実施の形態に係る容器用蓋体と容器の斜視図である。
【図３】第３の実施の形態に係る容器用蓋体と容器の斜視図である。
【考案を実施するための形態】
【００３７】
本考案の第１の実施の形態を図１を参照しつつ説明する。
容器用蓋体１は、外蓋１０からなる。外蓋１０は、外蓋本体１１と外蓋係合部１８とを有している。
外蓋本体１１は円盤状をなし、外蓋本体１１の周縁部分に、外蓋係合部１８が形成されている。外蓋係合部１８は、筒状をなし、その一端側が外蓋本体１１によって閉塞されており、他端側が開放している。外蓋係合部１８の閉塞端側を塞ぎ外蓋係合部１８の筒状体の内側に面している外蓋本体１１の面が、円形の露出面１２をなしている。
【００３８】
露出面１２の上には、粘着面１３が形成されている。粘着面１３は、アクリル系粘着剤からなる１枚の円形の粘着層１４からなる。粘着面１３がなす円の直径は、露出面１２がなす円の直径よりもやや小さい。
粘着面１３は、円形の剥離紙１５によって被覆されている。剥離紙１５の大きさは、粘着面１３の大きさと同じである。剥離紙１５には、複数本の同心円状の裁断線１７が形成されている。剥離紙１５は、裁断線１７によって円形の紙片１５Ａ、環状の紙片１５Ｂ、１５Ｃ、１５Ｄ、１５Ｅに区切られている。なお、紙片１５Ａの面積は、後述する錠剤５０が１粒上にのる程度の大きさである。
【００３９】
外蓋係合部１８の内周面上には、螺旋状の突起が、雌螺子１９として形成されている。
容器４０は、広口ビンの形状を有しており、胴体部４１と開口部４２を有している。
胴体部４１の中には、多数の錠剤５０が収容されている。錠剤５０は、扁平な円盤状をなし、錠剤５０の直径は、凡そ、紙片１５Ａの直径と同じ大きさである。
【００４０】
開口部４２の周囲には、周縁部４３が形成されている。周縁部４３は、筒状をなし、一端側が胴体部４１に連なっている。周縁部４３の外周面上には、螺旋状の突起が、雄螺子４４として、雌螺子１９と係合可能に形成されている。
なお、図１において、容器用蓋体１は、紙片１５Ａが部分的に剥がされて、粘着面１３の一部分１３Ａが半分ほど露出した状態を表している。
【００４１】
以上が、容器用蓋体１と容器４０の構成である。次に、その作用効果について説明する。
当初、容器４０の雄螺子４４と、外蓋１０の雌螺子１９とが係合し、容器４０の開口部４２は外蓋１０によって塞がれ、容器４０は容器用蓋体１によって密閉された状態（すなわち、未開封の状態）となっている。このとき、外蓋１０の粘着面１３は、剥離紙１５によってすべて被覆されている。
【００４２】
錠剤５０の使用者が、未開封の容器４０から錠剤５０を取り出す場合の手順について説明する。
使用者は、容器４０を立てて容器用蓋体１を上方に向け、容器４０から外蓋１０を外す。そして、使用者は、粘着面１３から剥離紙１５を剥がす。
【００４３】
剥離紙１５を剥がす際、使用者が１粒ずつ錠剤５０を容器４０から取り出すことを望むならば、使用者は、紙片１５Ａのみを粘着面１３から剥がし、粘着面１３のうち紙片１５Ａによって被覆されていた部分１３Ａを露出させる。
次いで、使用者は、容器４０の開口部４２に外蓋１０をはめ、容器４０を容器用蓋体１によって閉じる。
【００４４】
次いで、使用者は、容器４０をひっくり返し、容器用蓋体１を下方に向ける。この結果、容器４０内の錠剤５０は、露出面１２の上にのった状態となる。粘着面１３の部分１３Ａの上にのっている錠剤５０が、部分１３Ａにそのまま粘着する。部分１３Ａの面積は紙片１５Ａの面積と同じであるので、部分１３Ａに粘着する錠剤５０の数は、大抵の場合１粒となる。
【００４５】
次いで、使用者は、容器４０をひっくり返し、容器４０を立てて容器用蓋体１を上方に向ける。この結果、部分１３Ａに粘着した錠剤５０を除く他の錠剤５０は、容器４０の底側に落下する。そして、使用者は、再び、容器４０から外蓋１０を外す。
容器４０から外した外蓋１０の露出面１２の上には、部分１３Ａに粘着した１粒の錠剤５０がのっている。使用者は、この粘着した１粒の錠剤５０を容易に掌の上に移し替えることができる。使用者は、部分１３Ａに粘着した錠剤５０を指で摘み取っても良いし、露出面１２を掌側に向けて外蓋１０を掌に軽く打ち付け、錠剤５０を掌の上に落下させても良い。
【００４６】
使用者は、必要な数の錠剤５０を容器４０から取り出したら、容器４０の開口部４２に外蓋１０をはめ、容器４０を容器用蓋体１によって閉じる。
使用者が、錠剤５０を次に必要とする場合、容器４０をひっくり返し、容器用蓋体１を下方に向け、再度、容器４０をひっくり返し、容器用蓋体１を上方に向けて、容器４０から外蓋１０を外せば良い。
【００４７】
部分１３Ａに２粒以上の錠剤５０が粘着している場合、使用者は、１粒の錠剤５０だけを部分１３Ａから指で摘み取れば良い。そして、使用者は、部分１３Ａに残りの錠剤５０が粘着したまま、容器４０の開口部４２に外蓋１０をはめ、容器４０を容器用蓋体１によって閉じる。
【００４８】
容器４０を容器用蓋体１によって閉じたら、使用者は、容器４０を立てて容器用蓋体１を上方に向け、容器用蓋体１を上から軽くたたく等して衝撃を与える。容器用蓋体１に加わった衝撃によって、部分１３Ａに粘着していた錠剤５０は、部分１３Ａを離れて容器４０の中に落下する。
【００４９】
使用者は、容器４０から錠剤５０を取り出すに際し、不必要な錠剤５０に触れる必要がない。また、部分１３Ａに不必要な錠剤５０が粘着した場合であっても、必要な錠剤５０のみを摘み取ることは容易である。そして、不必要な錠剤５０を、手で触れずに容器４０の中へ戻すことも容易である。このため、容器４０内の錠剤５０が湿気を帯びることを容易に防止できる。
【００５０】
使用者が、複数粒の錠剤５０を容器４０から改めて取り出す場合、前述の手順を繰り返せば良い。あるいは、適宜、紙片１５Ｂ、１５Ｃ、１５Ｄ、１５Ｅのうちのいずれかを粘着面１３から剥がしても良い。紙片１５Ｂ、１５Ｃ、１５Ｄ、１５Ｅのうちのいずれを粘着面１３から剥がすかを選ぶことによって、錠剤５０が粘着可能な粘着面１３の面積を変えることができ、粘着面１３に粘着する錠剤５０の数を調整できる。
【００５１】
剥離紙１５は５枚の紙片１５Ａ、１５Ｂ、１５Ｃ、１５Ｄ、１５Ｅからなるとしたが、剥離紙１５を形成する紙片の数が５枚に限定されるものではないことは勿論である。
粘着面１３は、１枚の円形の粘着層１４からなるとしたが、複数枚の円形の粘着層を剥離可能に積層して粘着面１３を形成しても良い。粘着面１３をなす一番上の粘着層の粘着力が低下したら、粘着力が低下した粘着層を剥がし、その下の粘着層を新たな粘着面１３とすれば良い。
外蓋１０の外蓋係合部１８の内周面上の雌螺子１９と、容器４０の周縁部４３の外周面上の雄螺子４４と、が係合するとしたが、外蓋係合部１８の内周面と、周縁部４３の外周面と、が互いに面接触又は線接触して係合しても良い。
【００５２】
次に、本考案の第２の実施の形態を図２を参照しつつ説明する。なお、第１の実施の形態と同様の構成については、同じ符号を付する。
容器用蓋体１は、外蓋１０からなる。外蓋本体１１の円形の露出面１２の上には、粘着面１３が形成されている。粘着面１３は、アクリル系粘着剤からなる１枚の半円形の粘着層１４からなる。粘着面１３がなす半円の直径は、露出面１２がなす円の直径よりもやや小さい。また、粘着面１３の半円をなす円の中心は、露出面１２がなす円の中心と一致している。
【００５３】
露出面１２の上には、半円形の板状体からなる第１の可動体２２が、取り付けられている。第１の可動体２２の半円をなす円の中心は、露出面１２がなす円の中心の上に、ピン２３により軸止されており、第１の可動体２２は、ピン２３を中心として露出面１２の上を３６０°スライド可能に構成されている。なお、第１の可動体２２は、粘着面１３の厚さ相当分だけ露出面１２から僅かに浮いており、露出面１２の上を自由にスライド可能に構成されている。
【００５４】
容器用蓋体１の他の構成は、第１の実施の形態に係る容器用蓋体１の構成と同様である。
なお、図２において、容器用蓋体１の外蓋本体１１は、粘着面１３が半分ほど第１の可動体２２によって被覆された状態を表している。
次に、容器用蓋体１の作用効果について説明する。
【００５５】
当初、錠剤５０を収納している容器４０は、外蓋１０によって密閉された状態（すなわち、未開封の状態）となっている。このとき、外蓋１０の粘着面１３は、第１の可動体２２によってすべて被覆されている。
使用者が、未開封の容器４０から錠剤５０を取り出す場合について説明する。
【００５６】
まず、使用者は、容器４０を立てて容器用蓋体１を上方に向け、容器４０から外蓋１０を外す。そして、使用者は、第１の可動体２２を露出面１２上でスライドさせ、粘着面１３を露出させる。
【００５７】
第１の可動体２２のスライド量によって、粘着面１３の露出面積が変化する。使用者は、一回に容器４０から取り出す錠剤５０の数に応じて、第１の可動体２２のスライド量を調整し、粘着面１３の露出面積を調整する。一回に複数個の錠剤５０を容器４０から取り出すのであれば、粘着面１３の露出面積を、粘着面１３がその複数個の錠剤５０を粘着可能な面積とすれば良い。
【００５８】
容器用蓋体１の他の作用効果は、第１の実施の形態に係る容器用蓋体１の作用効果と同様である。
なお、粘着面１３は、１枚の半円形の粘着層１４からなるとしたが、複数枚の半円形の粘着層を剥離可能に積層して粘着面１３を形成しても良い。粘着面１３をなす一番上の粘着層の粘着力が低下したら、粘着力が低下した粘着層を剥がし、その下の粘着層を新たな粘着面１３とすれば良い。
【００５９】
次に、本考案の第３の実施の形態を図３を参照しつつ説明する。なお、第１の実施の形態と同様の構成については、同じ符号を付する。
容器用蓋体１は、外蓋１０と内蓋３０とからなる。
外蓋１０の外蓋本体１１の露出面１２の上には、アクリル系粘着剤からなる３層の粘着層１４Ａ、１４Ｂ、１４Ｃが順番に積層してなる円形の粘着面１３が形成されており、粘着層１４Ａが露出している。粘着層１４Ａ、１４Ｂ間と、粘着層１４Ｂ、１４Ｃ間には剥離紙１６がそれぞれ挟まれており、粘着層１４Ａは粘着層１４Ｂから剥離可能に構成されており、粘着層１４Ｂは粘着層１４Ｃから剥離可能に構成されている。
【００６０】
内蓋３０は、内蓋本体３１と内蓋装着部３４とを有している。
内蓋本体３１は円盤状をなし、内蓋本体３１の周縁部分に、内蓋装着部３４が形成されている。内蓋装着部３４は、筒状をなし、その一端側が内蓋本体３１によって閉塞されており、他端側が開放している。内蓋装着部３４をなす筒状体の外周面は、容器４０の開口部４２の周縁部４３の内周面４５と面接触して係合可能に構成されている。
【００６１】
内蓋本体３１は、容器４０の周縁部４３に内蓋装着部３４が係合した状態において、容器４０の胴体部４１の外側に面する円形の外側面３２と、胴体部４１の内側に面する円形の内側面と、を有する。なお、図３においては、この内側面は陰に隠れて見えない。内蓋本体３１には、内蓋本体３１の内側面から外側面３２まで貫通する略半円形の穴部３３が形成されている。穴部３３がなす半円の中心は、外側面３２がなす円の中心と一致している。そして、穴部３３の開口面積は、複数個の錠剤５０が同時に通り抜けることができる面積である。
【００６２】
内蓋３０を外側面３２側から見ると、内蓋３０は、窪んだ形状をなし、外側面３２がこの窪みの底側に見える。
外側面３２の上には、半円形をなす板状体からなる第２の可動体３７が取り付けられている。第２の可動体３７の半円をなす円の中心は、外側面３２がなす円の中心に、ピン３８により軸止されており、第２の可動体３７は、ピン３８を中心として外側面３２の上を３６０°スライド可能に構成されている。第２の可動体３７の大きさは、穴部３３の大きさよりも大きく、第２の可動体３７は穴部３３を塞ぐことを可能に構成されている。
【００６３】
容器用蓋体１の他の構成は、第１の実施の形態に係る容器用蓋体１の構成と同様である。
なお、図３において、容器用蓋体１は、穴部３３が半分ほど第２の可動体３７によって覆われた状態を表している。
次に、容器用蓋体１の作用効果について説明する。
【００６４】
当初、錠剤５０を収納している容器４０には、外蓋１０と内蓋３０が装着され、容器４０は容器用蓋体１によって密閉された状態（すなわち、未開封の状態）となっている。より詳細に述べると、内蓋３０の内蓋装着部３４が、容器４０の開口部４２の周縁部４３の内周面４５と密着して係合し、開口部４２を塞いでいる。そして、穴部３３は第２の可動体３７によって完全に塞がれている。さらに、容器４０の雄螺子４４と、外蓋１０の雌螺子１９とが係合し、外蓋１０が、内蓋３０の上から容器４０の開口部４２を塞いでいる。
【００６５】
使用者が、未開封の容器４０から錠剤５０を取り出す場合について説明する。
まず、使用者は、容器４０を立てて容器用蓋体１を上方に向け、容器４０から外蓋１０を外し、内蓋３０を露出させる。そして、使用者は、第２の可動体３７を外側面３２上でスライドさせ、穴部３３を露出させる。
【００６６】
第２の可動体３７のスライド量によって、穴部３３の開口面積が変化する。使用者は、一回に容器４０から取り出す錠剤５０の数に応じて、第２の可動体３７のスライド量を調整する。穴部３３の開口面積は、使用者が一度に必要とする数の錠剤５０が一度に通過可能な面積となれば良い。
【００６７】
その後、使用者は、容器４０の開口部４２に外蓋１０を内蓋３０の上からはめ、容器４０を容器用蓋体１によって閉じる。
内蓋３０をその外側面３２側から見ると、内蓋３０は窪んだ形状をなしているので、容器４０を容器用蓋体１によって閉じた状態では、外蓋１０の粘着面１３と内蓋３０の外側面３２との間には、距離があいている。
【００６８】
次いで、使用者は、容器４０をひっくり返し、容器用蓋体１を下方に向ける。この結果、容器４０内の錠剤５０は、内蓋３０の内側面の上にのった状態となる。そして、使用者が一度に必要とする数の錠剤５０が、穴部３３を通って、粘着面１３の上にのり、粘着面１３に粘着する。
【００６９】
次いで、使用者は、再び、容器４０をひっくり返し、容器４０を立てて容器用蓋体１を上方に向ける。すると、粘着面１３に粘着した錠剤５０を除く他の錠剤５０は、容器４０の底側に落下する。そして、使用者は、再び、容器４０から外蓋１０を外す。
容器４０を容器用蓋体１によって閉じた状態で、外蓋１０の粘着面１３と内蓋３０の外側面３２との間に距離があいており、空間部が形成される。粘着面１３に粘着した錠剤５０は、この空間部に収まっており、外側面３２に接触することが防止されている。したがって、容器４０から外蓋１０を回して外す際に、粘着面１３に粘着面１３に粘着した錠剤５０が、外側面３２や第２の可動体３７と接触することがなく、せっかく粘着面１３に粘着した錠剤５０が、容器４０の底側に落下してしまうこともない。
【００７０】
容器４０から外した外蓋１０の露出面１２の上には、粘着面１３に粘着した錠剤５０がのっている。使用者は、この粘着した錠剤５０を容易に掌の上に移し替えることができる。
粘着面１３をなす粘着層１４Ａの粘着力が低下したら、使用者は、粘着層１４Ａを剥がし、さらに粘着層１４Ａと粘着層１４Ｂの間の剥離紙１６も剥がす。この結果、粘着層１４Ｂが粘着面１３上に露出し、粘着面１３の粘着力が回復する。
【００７１】
容器用蓋体１の他の作用効果は、第１の実施の形態に係る容器用蓋体１の作用効果と同様である。
なお、１つの略半円形の穴を穴部３３としたが、１粒の錠剤５０が通り抜けられる大きさの複数の穴を穴部３３として内蓋本体３１に形成しても良い。この場合、使用者が一度に必要とする錠剤５０の数に応じて、第２の可動体３７が塞ぐ穴の数を調整すれば良い。
【００７２】
外側面３２の上に、第２の可動体３７を取り付けるとしたが、内蓋３０の内側面の上に、第２の可動体３７を取り付けても良い。使用者が穴部３３の開口面積を調整するときは、容器４０から外蓋１０と内蓋３０を共に外し、第２の可動体３７を適量スライドさせれば良い。
内蓋３０の内蓋装着部３４の外周面と、容器４０の周縁部４３の内周面４５と、が面接触して係合するとしたが、内蓋装着部３４の外周面と、周縁部４３の内周面４５とに、互いに係合可能な雌螺子と雄螺子を形成しても良い。
【産業上の利用可能性】
【００７３】
上記のような容器用蓋体であるので、容器に収納されている錠剤を適切に取り扱ううえで有用である。
【符号の説明】
【００７４】
１    容器用蓋体
１０    外蓋
１１    外蓋本体
１２    露出面
１３、１３Ａ    粘着面
１４、１４Ａ、１４Ｂ、１４Ｃ    粘着層
１５、１６    剥離紙
１５Ａ、１５Ｂ、１５Ｃ、１５Ｄ、１５Ｅ    紙片
１７    裁断線
１８    外蓋係合部
１９    雌螺子
２２    第１の可動体
２３    ピン
３０    内蓋
３１    内蓋本体
３２    外側面
３３    穴部
３４    内蓋装着部
３７    第２の可動体
３８    ピン
４０    容器
４１    胴体部
４２    開口部
４３    周縁部
４４    雄螺子
４５    内周面
５０    錠剤
【図１】
0003190279.tif 000003
【図２】
0003190279.tif 000004
【図３】
0003190279.tif 000005